(57)【要約】【課題】排出者に積極的・継続的に利用する動機を生じさせ、リサイクルの促進につながり、排出者の特定を容易にすることが可能な排出情報管理システムを提供すること。【解決手段】この発明の排出情報管理システムは、排出者及び排出者から回収した排出物に関する情報をコンピュータにより管理するためのシステムであって、排出物の特徴に応じて決定されるポイント及び排出者の利用状況に関するデータを含む利用情報を保存及び更新する利用情報管理手段１、並びに、排出者を特定するための情報を排出物に添付可能な形式で印刷する排出者情報印刷手段２を有するものとしている。【選択図】  図２
2009187231.tif 000002
【特許請求の範囲】
【請求項１】
排出者及び排出者から回収した排出物に関する情報をコンピュータにより管理するためのシステムであって、排出物の特徴に応じて決定されるポイント及び排出者の利用状況に関するデータを含む利用情報を保存及び更新する利用情報管理手段（１）、並びに、排出者を特定するための情報を排出物に添付可能な形式で印刷する排出者情報印刷手段（２）を有することを特徴とする排出情報管理システム。
【請求項２】
排出者が端末装置でネットワークを介してアクセスして適宜の商品を購入することが可能なショッピングサイトを管理するショッピングサイト管理手段（３）を有し、排出者が、利用情報管理手段（１）により管理されているポイントをショッピングサイトにおける商品の購入の際に利用できるようにした請求項１記載の排出情報管理システム。
【請求項３】
排出者情報印刷手段（２）は、排出者のデータを暗号化してバーコード形式で印刷するものとした請求項１又は２記載の排出情報管理システム。
【発明の詳細な説明】
【技術分野】
【０００１】
この発明は、一般家庭等から排出される、古紙、ペットボトル、缶等の排出物に関する情報を管理するためのシステムに関するものである。
【背景技術】
【０００２】
従来、一般家庭等から排出される、古紙、ペットボトル、缶等の排出物を引き取るサービスが実施されている（非特許文献１参照）。従来のこの種のサービスでは、排出者はサービス提供者に所定の料金を支払う必要があるが、サービスを利用しても何か特典があるわけではなく、排出者にとっては、このサービスを積極的・継続的に利用する動機に乏しいものであった。
【０００３】
そのため、リサイクルの促進にはつながらず、資源の有効利用が十分に行われていなかった。また、排出者が継続的に利用せず、一回限りの利用で終わることが多いため、排出物に何らかの問題があったとき、排出者の氏名や住所等の情報を特定できなくなり、問題解決が困難になるおそれがあった。
【非特許文献１】株式会社ウインローダー、「エコランド」、インターネット＜ＵＲＬ：http://www.eco-land.jp/＞
【発明の開示】
【発明が解決しようとする課題】
【０００４】
そこで、この発明は、排出者に積極的・継続的に利用する動機を生じさせ、リサイクルの促進につながり、排出者の特定を容易にすることが可能な排出情報管理システムを提供することを課題とする。
【課題を解決するための手段】
【０００５】
前記課題を解決するため、この発明は次のような技術的手段を講じている。
【０００６】
この発明の排出情報管理システムは、排出者及び排出者から回収した排出物に関する情報をコンピュータにより管理するためのシステムであって、排出物の特徴に応じて決定されるポイント及び排出者の利用状況に関するデータを含む利用情報を保存及び更新する利用情報管理手段１、並びに、排出者を特定するための情報を排出物に添付可能な形式で印刷する排出者情報印刷手段２を有するものとしている。
【０００７】
また、排出者が端末装置でネットワークを介してアクセスして適宜の商品を購入することが可能なショッピングサイトを管理するショッピングサイト管理手段３を有し、排出者が、利用情報管理手段１により管理されているポイントをショッピングサイトにおける商品の購入の際に利用できるようにしたものとすることができる。
【０００８】
さらに、排出者情報印刷手段２は、排出者のデータを暗号化してバーコード形式で印刷するものとすることができる。
【発明の効果】
【０００９】
この発明の排出情報管理システムは、上述のような構成を有しており、排出物に応じてポイントが与えられるため、排出者にこのシステムを積極的・継続的に利用する動機が生じ、リサイクルの促進につながる。しかも、排出者を特定するための情報を排出物に付加することができるようになるため、排出物に何か問題があった場合でも、容易に対処することができる。
【００１０】
さらに、ポイントを利用可能なショッピングサイトを管理するショッピング管理手段を有するものとすれば、ポイントの使用機会が増え、システムを積極的・継続的に利用する動機が増すので、より一層、リサイクルの促進につながる。
【００１１】
また、排出者情報印刷手段２が、排出者のデータを暗号化してバーコード形式で印刷するものとすれば、排出者の個人情報の漏洩を防止することができる。
【発明を実施するための最良の形態】
【００１２】
以下、この発明の好適な実施形態を、図面を参照して説明する。
【００１３】
図１はこの発明の実施形態の排出情報管理システムにおいて排出物がたどる経路を示す流れ図、図２はこのシステムの概念図である。
【００１４】
この排出情報管理システムは、排出者及び排出者から回収した排出物に関する情報をコンピュータにより管理するためのシステムであって、排出物の特徴に応じて決定されるポイント及び排出者の利用状況に関するデータを含む利用情報を保存及び更新する利用情報管理手段１、並びに、排出者を特定するための情報を排出物に添付可能な形式で印刷する排出者情報印刷手段２を有するものとしている。
【００１５】
このシステムでは、一般家庭から排出される、古紙、ペットボトル、缶、その他の排出物を取り扱う。
【００１６】
排出者（一般家庭の人）は、不要となった排出物の引取りを、運営者に依頼する。運営者への依頼は、電話、インターネット（電子メールやウェブサイト経由での送信）等を利用することができる。また、予め決まった日程で、運営者が排出者のもとへ引取りに行くようにしてもよい。
【００１７】
依頼を受けた運営者（その従業者や委託業者でもよい）は、排出物を積載可能な自動車で排出者のもとに駆けつけ、排出物を引き取り、運営者の管理する排出物の集積所に排出物を保管する。
【００１８】
また、運営者は、排出物の特徴（この実施形態では種類と重量とする）に基づき、後述の方法で当該排出者に付与するポイント（点数）を算出する。ポイントを算出する場所は、排出者のもと、集積所のいずれでもよく、あるいはその他の適宜場所あってもよい。
【００１９】
そして、運営者は、引き取った排出物の処理を、処理業者に依頼する。処理業者は、国内で排出物のリサイクル販売を行う業者、国外へ排出物を輸出する輸出業者のいずれでもよい。運営者は、排出物を処理業者に引き渡す際に、後述の排出者を特定するための情報が記載されたシール紙を排出物に貼り付ける。
【００２０】
以上が、このシステムにおいて取り扱われる排出物の経路の概要である。次に、このシステムの構成について説明する。
【００２１】
このシステムは、図２に示すように、運営者コンピュータを中心として構成される。運営者コンピュータは、インターネットを介して排出者が各自の端末装置でアクセス可能となっている。
【００２２】
運営者コンピュータは、プログラムの実行により、利用情報管理手段１、排出者情報印刷手段２、及びショッピングサイト管理手段３として機能する。運営者コンピュータは、１台で構成されたものであっても、ＬＡＮやインターネットを介して接続された複数台のコンピュータで構成されたものであってもよい。
【００２３】
利用情報管理手段１は、排出物に関し排出者に付与するポイントと、排出者の利用状況に関するデータを管理するためのデータベースを構成する。
【００２４】
ポイントは、排出物の種類と重量によって算出されるものであり、例えば、古紙の場合、１ｋｇにつき１０ポイント等とし、重量に比例したものとすることができる。算出方法は、排出物の需給関係の変化等に応じて適時変更することができる。ポイントは、運営者が人手や計測機器を利用することにより算出され、運営者コンピュータに入力され、利用情報管理手段１により管理されるようにしている。
【００２５】
排出者の利用状況に関するデータは、排出者の氏名、住所を含むものとしている。さらに、排出日、当該排出物の種類及び重量等を含むものとすることができる。また、ポイントのデータは、排出者の利用状況に関するデータと関連付けられて管理されるようになっている。
【００２６】
なお、排出者は、最初の排出時又はその前に、このシステムが提供するサービスに関する会員登録を行うこととし、運営者が各排出者に会員番号を付与し、これを利用情報管理手段１で管理するようにすることができる。
【００２７】
前記ポイントが入力された後に、排出者情報印刷手段２が、自動的にあるいは運営者の操作により起動される。排出者情報印刷手段２は、前記利用情報管理手段１に問い合わせ、排出者を特定するための情報を取得し、運営者コンピュータに接続されたプリンタに出力する。プリンタにより印刷されるものは、排出物に貼り付け可能な大きさ、形状とした、裏面に接着面を有するシール紙としている。
【００２８】
前記排出者を特定するための情報は、排出者の氏名と住所及び排出日とすることができる。排出者情報印刷手段２は、前記排出者を特定するための情報を暗号化した上で、バーコード形式で印刷するようにしている。これにより、排出物に何か問題があった場合は、運営者は前記シール紙のバーコードから、排出者が誰であるか等の情報を得ることができるので、トラブルへの対処も容易である。また、運営者等の暗号の解読方法を知る者以外の者は、排出物に貼り付けられたシール紙の情報を解読することができないため、排出者の個人情報の漏洩を防止することができる。
【００２９】
ショッピングサイト管理手段３は、排出者が端末装置でインターネット等のネットワークを介してアクセスして適宜の商品を購入することが可能なショッピングサイトを管理する。排出者の端末装置は、パーソナルコンピュータや、携帯電話とすることができる。
【００３０】
ショッピングサイトは、ヤフー株式会社が運営するショッピングサイト、あるいはオークションサイトのような形式とし、排出者の端末装置の表示装置に商品の写真や説明を表示し、画面上で希望する商品をマウスのクリック等の操作により選択して、購入手続ができるようにしたものとすることができる。
【００３１】
また、購入手続においては、銀行振り込みやクレジットカード等の他、前述のポイントを決済に使用できるようにしている。
【００３２】
排出者が決済をポイントの使用により行うことを選択した場合、ショッピングサイト管理手段３は、前記利用情報管理手段１に問い合わせ、当該排出者のポイントの情報を取得し、排出者が決済に使用可能なポイントを有しているか判断し、有していると判断した場合は、決済に使用するポイント数の情報を前記利用情報管理手段１に送信し、決済処理を行う。この場合、利用情報管理手段１は、当該排出者のポイントから前記決済に使用されたポイント数を差し引いて、ポイントに関するデータを更新する。
【００３３】
ポイントは、銀行振り込みやクレジットカード等の他の決済手段と併用することができ、また、ポイントが商品の金額以上であればポイントのみで決済することもできるようにしている。
【００３４】
ショッピングサイトは、会員登録された排出者のみが利用できるものとすることができる。この場合、ショッピングサイトは、アクセスしてきた者の端末装置の画面に、会員番号とパスワードの入力を求めるログイン画面を表示し、適正な入力があった場合にのみショッピングが行われるようにすることができる。特に、オークションを実施する場合には、会員登録された排出者のみが出品及び落札できるようにすることにより、安心して利用できることとなる。
【００３５】
なお、ポイントは、このシステムの運営者が管理するショッピングサイトだけでなく、他の一般のショッピングサイトにおいて使用できる電子マネーとすることができる。さらに、このシステムを、ＩＣカードや携帯電話を利用したプリペイド式の電子マネーのシステムと組み合わせることにより、現実に存在する店舗において、リーダライタでのポイントのチャージや商品購入の際のポイントの引き落としができるようにしてもよい。
【００３６】
以上がこの発明の実施形態であるが、この発明のシステムは前述の態様に限定されるものではなく、適宜構成を変更して実施することができる。
【図面の簡単な説明】
【００３７】
【図１】この発明の施形態の排出情報管理システムおいて排出物がたどる経路を示す流れ図である。
【図２】この発明の実施形態の排出情報管理システムの概念図である。
【符号の説明】
【００３８】
１  利用情報管理手段
２  排出者情報印刷手段
３  ショッピングサイト管理手段
【図１】
2009187231.tif 000003
【図２】
2009187231.tif 000004